(57)【要約】      （修正有）【課題】肘部をストレスなく保持することができる簡易腕吊り具を安価に提供する。【解決手段】底辺に沿って人体の前腕部ＦＡを載せて腕ＡをＬ字状に保持する簡易腕吊り具１０であって、底辺の一端側に、肘部Ｅを保持するための、湾曲する袋状に形成された保持部５０を設ける。【効果】端に固結びなどによって閉じる必要が無く、患者に違和感や圧迫痛などを与えることがない。また、上腕部が体幹軸に対して垂直に保持され、前腕部が水平に保持される、理想的位置に挙上し保持することができる。【選択図】図２
2005034635.tif 000002
【特許請求の範囲】
【請求項１】
ほぼ同一の三角形状の２枚の布材を有し、上記各布材の所定の角を挟む２つの辺の一辺同士を互いに固着して人体の前腕部を載せて腕をＬ字状に支持する底辺としてなる簡易腕吊り具において、
上記底辺の一端側には、上記腕の肘部を保持するため、Ｌ字状に沿って湾曲する袋状に形成された保持部が設けられていることを特徴とする簡易腕吊り具。
【請求項２】
上記２つの辺に挟まれる角の角度は、６０°〜８５°の範囲内である請求項１に記載の簡易腕吊り具。
【発明の詳細な説明】
【技術分野】
【０００１】
本発明は、患部である腕（上肢部）を吊り持ちした状態で保持するための簡易腕吊り具に関し、さらに詳しく言えば、肘部を理想的位置で挙上し保持することができる簡易腕吊り具に関する。
【背景技術】
【０００２】
骨折や切り傷などによって腕を負傷した場合、患部である腕をできるだけ動かさないように固定しておく必要がある。骨折など重傷の場合は、専用の固定具を使用して腕を完全に固定するが、切り傷など軽傷の場合には、三角巾などを使って腕を吊った状態で簡易に固定する方法がよく用いられる。
【０００３】
図４および図５に三角巾を使用した固定方法の一例を示す。一般的な三角巾１は、１枚の三角形状の布材を垂直二等分線Ｌに沿って半分に折り畳み、同垂直二等分線Ｌで折り畳まれた部分を底部２として、その底部２に腕Ａの前腕部ＦＡを載せ、各頂点１ａ，１ｂ同士を互いに首の後ろ側で結ぶことにより、腕Ａが上腕部ＵＡから前腕部ＦＡかけてＬ字状に吊り持ち保持される。三角巾の従来例としては、例えば特許文献１がある。
【０００４】
これによれば、腕Ａを簡単に吊り持つことができるとともに、さらに特許文献１によれば、三角巾１の布材に伸縮性を付与したことにより、三角巾１に生じる皺などが創傷部を圧迫するなどして悪化させることを予防できる。
【０００５】
しかしながら、今までの三角巾（簡易腕吊り具）には、次のような課題があった。すなわち、図５に示すように、今までの三角巾１は、特に腕Ａを吊った場合に肘部Ｅが三角巾１の底部２から抜け落ちないように、頂部１ｃの周辺（図４のハッチング部分）を一まとめにして固結びしたり、クリップで摘むなどして、肘Ｅを受けるためのポケット部を設けて、そこに肘部Ｅを収納していた。
【０００６】
【特許文献１】特開２００２−１４３２１１号公報
【発明の開示】
【発明が解決しようとする課題】
【０００７】
そこで、本発明は、上述した課題を解決するためになされたものであって、その目的は、肘部を理想的位置に挙上し保持することができる簡易腕吊り具を安価に提供することにある。
【課題を解決するための手段】
【０００８】
上述した目的を達成するため、本発明は、ほぼ同一の三角形状の２枚の布材を有し、上記各布材の所定の角を挟む２つの辺の一辺同士を互いに固着して人体の前腕部を載せて腕をＬ字状に支持する底辺としてなる簡易腕吊り具において、上記底辺の一端側には、上記腕の肘部を保持するため、Ｌ字状に沿って湾曲する袋状に形成された保持部が設けられていることを特徴としている。
【０００９】
より好ましい態様として、上記２つの辺に挟まれる角の角度は、６０°〜８５°の範囲内、より好ましくは、６５°〜７５°の範囲であることがよい。
【発明の効果】
【００１０】
これによれば、従来のように端を固結びなどによって閉じる必要が無く、患者に違和感や圧迫痛などを与えることがない。また、上腕部が体幹軸に対して垂直に保持され、前腕部が水平に保持される、理想的位置に挙上し保持することができる。
【発明を実施するための最良の形態】
【００１１】
次に、本発明の実施形態について図面を参照しながら説明する。図１は、本発明の一実施形態に係る簡易腕吊り具の斜視図であり、図２は、その使用状態を説明する説明図である。
【００１２】
この簡易腕吊り具１０は、同一形状の２枚の布材メンバー２０，３０同士を互いに重ね合わせて一部を固着した例えば綿などの布製基材からなり、患部への刺激を考慮して適度な通気性が確保されている。
【００１３】
この実施形態において、布材メンバー２０，３０は綿製が好ましいが、例えば血液などの液体を浸透させないように樹脂シートなどを挟んで防水処理などを施してもよいし、伸縮性を与えてもよい、布材メンバー２０，３０の材質や構造などは基本形態を備えていれば任意である。
【００１４】
各布材メンバー２０，３０は、互いに同じ形状であるため、以下においては、一方の布材メンバー２０についての説明を行い、他方の布材メンバー３０についての説明は省略する。
【００１５】
布材メンバー２０は、３つの頂部２０ａ〜２０ｃを含む三角形状に形成されており、３つの頂部１０ａ〜１０ｃのうち、頂部２０ｃを頂点とする三角形状に形成されている。
【００１６】
頂部２０ｃは、Ｌ字状に支持された腕Ａの肘部Ｅに沿ってフィットしやすいようにＣ字袋状に形成されており、頂部２０ｃを挟む２辺の相対角度θは、６０°〜８５°の範囲内（より好ましくは６５°〜７０°の範囲内）に設定されている。
【００１７】
これによれば、簡易腕吊り具１０を使用したときに、上腕部は体幹軸に対して垂直に保持され、前腕部は、底部４０から保持部５０に沿って水平に保持されることにより、患部（腕Ａ）を理想的な位置に挙上し保持することができる。
【００１８】
残りの頂部２０ａ、２０ｂも同様に、鋭角的に形成されている。なお、頂部２０ａ、２０ｂの具体的な角度および形状は、仕様に応じて任意に設定可能である。
【００１９】
各布材メンバー２０，３０は、互いに重ね合わされて、底辺４０から保持部５０にかけての部分６０が固着、この実施形態では縫合によって一体化されている。これにより、腕Ａの前腕部ＦＡから肘部Ｅにかけてを吊り持ち保持する部分が形成される。
【００２０】
この実施形態において、固着部６０は縫合によって一体化されているが、例えば熱融着や接着などによって一体化してもよく、各布材メンバー２０，３０同士を完全に固定することができるものであれば、その固着手段は任意である。
【００２１】
図３には、この簡易腕吊り具１０のより具体的な実施形態が示されている。この例において、２枚の布材メンバー２０，３０は、頂部２０ａ，３０ａと頂部２０ｂ，３０ｂとを結ぶ辺Ａの長さが６７０ｍｍとされ、頂部２０ａ，３０ａと頂部２０ｃ，３０ｃとを結ぶ辺Ｂの長さが６２０ｍｍとされ、底部４０の長さが３５０ｍｍとされている。
【００２２】
保持部５０は半径７５ｍｍの円弧面とされており、底部５０側および辺Ｂ側にそれぞれ１０ｍｍずつ張り出して形成されている。
【００２３】
頂部２０ａ，３０ａを挟む辺Ｓ１と辺Ｂの相対角度は２９°とされ、頂部２０ｂ，３０ｂを挟む辺Ｓ２と底辺４０との相対角度は８２°とされている。頂部２０ｃ，３０ｃを挟む２辺の相対角度θは６９°とされている。
【００２４】
底部４０から保持部５０に掛けては、各布材メンバー２０，３０同士が互いに重ね合わさった状態でロック縫いによって縫合されている。
【００２５】
次に、図２を参照して、この簡易腕吊り具１０の使用手順の一例について説明する。なお、この実施形態においては、患者に対して介助者が装着を行う例について例示する。
【００２６】
まず、患者の腕Ａを図２に示すように、上腕部ＵＡから前腕部ＦＡにかけてをＬ字状に折り曲げた状態にする。腕Ａを折り曲げた後、各布材メンバー２０，３０に挟まれた底部４０に前腕部ＦＡを載せるとともに、肘部Ｅを保持部５０に沿って配置する。
【００２７】
最後に、各布材メンバー２０，３０の各頂部２０ａ，３０ａ同士を首の後ろで結ぶことで装着が完了する。
【００２８】
なお、この実施形態において、頂部３０ａ、３０ｂは首の後ろで結ぶようにしているが、あらかじめ頂部３０ａ、３０ｂ同士を連結しておき、頭に通すようにしてもよい。
【図面の簡単な説明】
【００２９】
【図１】本発明の一実施形態に係る簡易腕吊り具の斜視図。
【図２】上記簡易腕吊り具の使用状態を説明する説明図。
【図３】簡易腕吊り具の具体的な実施形態の正面図。
【図４】従来の簡易腕吊り具（三角巾）の斜視図。
【図５】従来の三角巾の使用状態を説明する説明図。
【符号の説明】
【００３０】
１０  簡易腕吊り具
２０，３０  布材メンバー
２０ａ〜２０ｃ，３０ａ〜３０ｄ  頂部
４０  底辺
５０  保持部
６０  固着部
Ａ  腕
Ｅ  肘部
ＦＡ  前腕部
ＵＡ  上腕部
【図１】
2005034635.tif 000003
【図２】
2005034635.tif 000004
【図３】
2005034635.tif 000005
【図４】
2005034635.tif 000006
【図５】
2005034635.tif 000007